(57)【要約】【課題】洗浄性、濯ぎ性及び生分解性に優れた繊維製品用洗浄剤組成物を提供する。【解決手段】（ａ）一般式（Ｉ）で表される特定の非イオン界面活性剤、（ｂ）石鹸及びアルキル硫酸エステル塩から選ばれる陰イオン界面活性剤、並びに（ｃ）水溶性キレート剤を含有する繊維製品用洗浄剤組成物。【選択図】なし【特許請求の範囲】
【請求項１】
（ａ）下記一般式（Ｉ）で表される非イオン界面活性剤、（ｂ）石鹸及びアルキル硫酸エステル塩から選ばれる陰イオン界面活性剤、並びに（ｃ）分子量が１０００以下の水溶性キレート剤を含有する繊維製品用洗浄剤組成物。
Ｒ1−Ｏ−（ＥＯ）o−（ＰＯ）p−（ＥＯ）q−Ｈ        （Ｉ）
〔式中、Ｒ1は炭素数８〜１８の直鎖アルキル基を示し、ＥＯはオキシエチレン基、ＰＯはオキシプロピレン基を示す。ｏ、ｐ、ｑはそれぞれ平均付加モル数を表し、ｏ＞０、ｑ＞０、ｐ＝１〜２であり、ｏ＋ｑ＝４〜２０である。〕
【請求項２】
（ａ）と（ｂ）の重量比が、（ａ）／（ｂ）＝１／５〜２０／１である、請求項１記載の繊維製品用洗浄剤組成物。
【請求項３】
（ａ）と（ｂ）の合計含有量が２０重量％未満である、請求項１又は２記載の繊維製品用洗浄剤組成物。
【請求項４】
（ｂ）のうちの石鹸が炭素数８〜２２の飽和脂肪酸又は不飽和脂肪酸のナトリウム塩又はカリウム塩である、請求項１〜３の何れか１項記載の繊維製品用洗浄剤組成物。
【請求項５】
（ｂ）のうちのアルキル硫酸エステル塩が、炭素数８〜２２のアルキル基を有するアルキル硫酸のナトリウム塩、カリウム塩、トリエタノールアミン塩又はアンモニウム塩である、請求項１〜４の何れか１項記載の繊維製品用洗浄剤組成物。
【請求項６】
更に、水溶性のアルカリ剤を含有する、請求項１〜５の何れか１項記載の繊維製品用洗浄剤組成物。
【発明の詳細な説明】
【技術分野】
【０００１】
本発明は、繊維製品用洗浄剤組成物に関する。
【背景技術】
【０００２】
ホテル、旅館、病院、レストラン等で使用されるシーツ、ナプキン、包布、おしぼり等は、リネンサプライ業者により供給、回収、洗濯が行われることが多い。これらの取り扱い物は、色白のものが多く、清潔感が極めて重要であり、場合によっては消毒も施されるため、リネンサプライ業者は一般家庭の洗濯物を扱う業者とは区別されている。
【０００３】
リネンサプライ業者よる洗浄は、通常、予備洗浄が行われ、その後、本洗浄として洗剤、アルカリ剤、漂白剤を併用して５０〜８０℃の高温で洗浄が行われる。その際、省力化、効率化の面から、本業界に特徴的な洗濯機である連続式洗濯機が使用され、漂白剤処理工程、柔軟剤処理工程あるいは糊剤処理工程から出る廃水の一部は洗浄槽に再循環させて再使用される。再利用されない廃水については、必要に応じて一定の処理をした後、施設外に排出される。この廃水が生分解性に富むものであれば、処理時の負荷を軽減できるため望ましい。
【０００４】
生分解性の点で石鹸を衣料用の洗浄剤に用いることは望ましいが、石鹸は、硬水中でマグネシウムイオン、カルシウムイオン等と反応して水不溶性のスカム（石鹸滓）を発生し、十分な洗浄効果が得られないことがある。また、石鹸を含有する高嵩密度洗剤は、有機物総量が増えるため、廃水中の有機物量も増加する傾向にある。こうした背景から、特許文献１には、生分解性に優れた高比重衣料用粉末石鹸組成物が提案されている。また、特許文献２にも、生分解性を向上することを目的とした、石鹸を含有する粒状洗剤組成物が開示されている。
【０００５】
一方、衣料用の洗浄剤に配合する成分として、非イオン界面活性剤も知られており、特許文献３には、低泡性で易生分解性の非イオン界面活性剤が提案されている。また、非イオン界面活性剤を用いたリネンサプライでの洗浄に関する技術として、特許文献４〜６がある。
【特許文献１】特開平５−２９５３９９号公報
【特許文献２】特開平１０−９５９９８号公報
【特許文献３】特開平６−１１６５８７号公報
【特許文献４】特開平１１−２６９４９８号公報
【特許文献５】特開２００２−１３８２９８号公報
【特許文献６】特開２００５−２７３０６２号公報
【発明の開示】
【発明が解決しようとする課題】
【０００６】
本発明の課題は、洗浄性、濯ぎ性及び生分解性に優れた繊維製品用洗浄剤組成物、特に排水処理工程における負荷低減に寄与できるリネンサプライ用として好適な繊維製品用洗浄剤組成物を提供することである。
【課題を解決するための手段】
【０００７】
本発明は、（ａ）下記一般式（Ｉ）で表される非イオン界面活性剤〔以下、（ａ）成分という〕、（ｂ）石鹸及びアルキル硫酸エステル塩から選ばれる陰イオン界面活性剤〔以下、（ｂ）成分という〕、並びに（ｃ）分子量が１０００以下の水溶性キレート剤〔以下、（ｃ）成分という〕を含有する繊維製品用洗浄剤組成物に関する。
Ｒ1−Ｏ−（ＥＯ）o−（ＰＯ）p−（ＥＯ）q−Ｈ        （Ｉ）
〔式中、Ｒ1は炭素数８〜１８の直鎖アルキル基を示し、ＥＯはオキシエチレン基、ＰＯはオキシプロピレン基を示す。ｏ、ｐ、ｑはそれぞれ平均付加モル数を表し、ｏ＞０、ｑ＞０、ｐ＝１〜２であり、ｏ＋ｑ＝４〜２０である。〕
【発明の効果】
【０００８】
本発明によれば、洗浄性、濯ぎ性及び生分解性に優れた繊維製品用洗浄剤組成物、特にリネンサプライ用として好適な繊維製品用洗浄剤組成物が提供される。
【発明を実施するための最良の形態】
【０００９】
＜（ａ）成分＞
（ａ）成分は、前記一般式（Ｉ）で表される非イオン界面活性剤である。一般式（Ｉ）中、Ｒ1は炭素数１２〜１６の直鎖アルキル基が好ましい。ｏは２〜１０、ｑは１〜２、ｏ＋ｑは５〜１５が好ましい。（ａ）成分は、洗浄性向上のために必須である。
【００１０】
＜（ｂ）成分＞
（ｂ）成分は、石鹸及びアルキル硫酸エステル塩から選ばれる陰イオン界面活性剤である。（ｂ）成分のうち、石鹸は、炭素数８〜２２、更に１２〜１８の飽和脂肪酸又は不飽和脂肪酸のナトリウム塩又はカリウム塩が好ましい。また、（ｂ）成分のうち、アルキル硫酸エステル塩は、炭素数８〜２２、更に１０〜１４のアルキル基を有するアルキル硫酸のナトリウム塩、カリウム塩、トリエタノールアミン塩又はアンモニウム塩が好ましい。（ｂ）成分は、生分解性に優れ、濯ぎ性を向上させることができる。
【００１１】
＜（ｃ）成分＞
（ｃ）成分は、分子量が１０００以下の水溶性キレート剤である。ここで、キレート剤について、水溶性とは、ｐＨ１０以上のアルカリ条件下で水に対して５重量％以上の溶解度を有することをいう。（ｃ）成分としては、生分解性の良好なものが好ましく、ニトリロトリ酢酸、トリエチレンテトラミンヘキサ酢酸、ホスホン酸、トリポリリン酸、クエン酸、マレイン酸、ＤＬ−アラニン−Ｎ，Ｎ−ジ酢酸、アスパラギン酸−Ｎ，Ｎ−ジ酢酸、グルタミン酸−Ｎ，Ｎ−ジ酢酸、セリン−Ｎ，Ｎ−ジ酢酸、グルコン酸、ヒドロキシベンジルイミジノ酢酸、イミジノ酢酸、及びこれらの塩が挙げられる。塩は、ナトリウム塩、カリウム塩等のアルカリ金属塩、トリエタノールアミン塩等のアルカノールアミン塩、アンモニウム塩等が好ましい。中でも（ｃ）成分としては、ニトリロトリ酢酸、トリポリリン酸、クエン酸、ＤＬ−アラニン−Ｎ，Ｎ−ジ酢酸、アスパラギン酸−Ｎ，Ｎ−ジ酢酸、グルタミン酸−Ｎ，Ｎ−ジ酢酸及びセリン−Ｎ，Ｎ−ジ酢酸、並びにこれらの塩が好ましい。（ｃ）成分は、水中の硬度成分を捕捉することにより、洗浄性の低下を防止する働きを有する。
【００１２】
＜繊維製品用洗浄剤組成物＞
本発明の繊維製品用洗浄剤組成物は、（ａ）成分と（ｂ）成分の重量比が、（ａ）／（ｂ）＝１／５〜２０／１、更に１／２〜１０／１であることが洗浄性、再汚染防止性の点から好ましい。また、（ａ）成分と（ｂ）成分の合計含有量が２０重量％未満、更に８〜１５重量％であることが粉末物性の点から好ましい。これらを満たした上で、（ａ）成分の組成物中の含有量は５〜１２重量％、更に８〜１０重量％が好ましく、（ｂ）成分の組成物中の含有量は１〜５重量％、更に１〜３重量％が好ましい。また、（ｃ）成分の組成物中の含有量は、５〜３０重量％、更に１０〜３０重量％が好ましい。上記の範囲は特に組成物の形態が粉末である場合に好ましい。
【００１３】
本発明の繊維製品用洗浄剤組成物は、アルカリ剤を含有することができる。アルカリ剤としては、炭酸塩、重炭酸塩、オルトケイ酸塩、メタケイ酸塩等が挙げられる。塩としては、ナトリウム塩、カリウム塩等のアルカリ金属塩が好ましい。これらのアルカリ剤は１種類でも、２種類以上の混合物としても用いることができる。具体的には、従来から知られているデンス灰や軽灰と総称されている炭酸ナトリウム、炭酸カリウム等のアルカリ金属炭酸塩、メタ珪酸ナトリウム、メタ珪酸カリウムなどの珪酸塩等が挙げられ、水溶性のものが好ましい。アルカリ剤の含有量は、組成物中、１０〜８０重量％、更に３０〜６０重量％が好ましい。
【００１４】
本発明の繊維製品用洗浄剤組成物には、上記成分以外に（１）エタノール等のアルコール類及びエチレングリコール、プロピレングリコール等のグリコール類、（２）パラトルエンスルホン酸又はその塩、安息香酸又はその塩、尿素等の減粘剤や可溶化剤（防腐剤としての効果を持つものもある）、（３）相調整、洗浄力向上のためのポリオキシアルキレンベンジルエーテル、ポリオキシアルキレンフェニルエーテル、（４）ポリビニルピロリドン等の色移り防止剤、（５）蛍光染料、（６）柔軟性付与を目的としたシリコーン、（７）消泡剤としてのシリカ、シリコーン、（８）香料、抗菌防腐剤等を含有することができる。
【００１５】
本発明の繊維製品用洗浄剤組成物の形態が粉末である場合、その平均粒径は、１００〜２０００μｍが好ましい。また、嵩密度は０．６〜１．２ｇ／ｃｍ3が好ましい。
【００１６】
本発明の繊維製品用洗浄剤組成物の対象とする繊維製品は、業務用リネンサプライ業における分野で用いられる繊維製品、例えば、病院、ホテルなどのシーツ、オムツ、オシボリや店舗、オフィス、ホテル等の玄関マットやフロアマット、あるいはフロアクリーニング用モップ等の清掃用繊維製品、また、衣料、寝具等の家庭用の繊維製品が挙げられる。
【００１７】
本発明の繊維製品用洗浄剤組成物は、該組成物を０．０１〜５重量％、更に０．０５〜１重量％含有する洗浄液として繊維製品の洗浄に用いられることが好ましい。該洗浄液の残部は通常水である。該洗浄液は、５０℃〜８０℃の温度範囲で洗浄に用いることが好ましい。業務用の洗浄系としては、例えば、大型のバッチワッシャーや連続洗濯機を用いた洗浄方法が挙げられ、このような使用形態に本発明の組成物は好適に用いられる。
【実施例】
【００１８】
表１の粉末洗浄剤組成物を用いて、洗浄性、濯ぎ性、及び生分解性を以下の方法で評価した。結果を表１に示す。
【００１９】
（１）洗浄性／濯ぎ性試験
使用した皮脂汚れ汚染布（人工汚染布）は、１０ｃｍ×１０ｃｍの木綿布に２ｇの下記組成からなるモデル皮脂汚れを均一に塗布したものである。
（モデル皮脂汚れ組成）
綿実油            ６０重量％
オレイン酸        １０重量％
パルミチン酸      １０重量％
固形パラフィン    １０重量％
流動パラフィン    １０重量％
この皮脂汚れ汚染布を用い、表１に示す粉末洗浄剤組成物を０．２重量％濃度となるように水に溶解させた水溶液を洗浄液とし、上島製作所製ターゴトメーター（ＭＳ−８２１０）を用いて洗浄を行った（７０℃×１０分）。またその布を軽く絞った後、ビーカーに入れた１００ｃｃの水で濯ぎ、その後の液の状態を観察し、濯ぎ性の評価を行なった。濯ぎ水の状態が透明なものを「○」、半透明なものを「△」、白濁するものを「×」として評価した。なお、試験は６°ＤＨ硬水を用いた。
【００２０】
また、洗浄前後の布の反射率（測定波長５５０ｎｍ）を測定し、以下の式により洗浄率を求め、洗浄性を評価した。
【００２１】
【数１】
2008127412.tif 000002
【００２２】
（２）生分解性試験
ＯＥＣＤ化学品テストガイドライン  ３０１Ｃ  修正ＭＩＴＩ試験（Ｉ）に準拠して２８日間実施した。試験は標準活性汚泥を用い、表１に示す粉末洗剤組成物１００ｍｇ／Ｌ、基準物質濃度１００ｍｇ／Ｌ（アニリン）、試験温度２５℃±１℃で行なった。生物化学的酸素消費量（ＢＯＤ）は、閉鎖系酸素消費量自動測定装置により、ＣＯＤｃｒ（化学的酸素消費量）は二クロム酸カリウムを用い、ＪＩＳ法に従い、求めた。生分解度を以下の式により求め、生分解性を評価した。
【００２３】
【数２】
2008127412.tif 000003
【００２４】
ＢＯＤ：洗浄剤の生物化学的酸素消費量（ｍｇ）
Ｂ：汚泥ブランク（ｍｇ）
ＣＯＤｃｒ：洗浄剤の化学的酸素消費量（ｍｇ）
【００２５】
生分解度が８０％以上を「◎」、７０％以上８０％未満を「○」、６０％以上７０％未満を「△」、６０％未満を「×」として評価した。
【００２６】
【表１】
2008127412.tif 000004
【００２７】
表中の成分は以下のものである。なお、比較例１〜８では、適宜ａ−２、ａ−３を（ａ）成分として、或いはＬＡＳを（ｂ）成分として（ａ）／（ｂ）重量比を示してある。
・ａ−１：一般式（Ｉ）において、Ｒ1が炭素数１２の直鎖アルキル基であり、ｏ＝３、ｐ＝１．５、ｑ＝３の非イオン界面活性剤
・ａ−２：ポリオキシエチレンポリオキシプロピレンラウリルエーテル（エチレンオキシド平均付加モル数７、プロピレンオキシド平均付加モル数８．５、ラウリル基にポリオキシエチレン鎖が結合したブロック付加物）
・ａ−３：ＰＰＧ３０００（ポリプロピレングリコール、重量平均分子量３００００）
・石鹸：花王（株）製、商品名「月星中低温石鹸」（石鹸分５０重量％、表中の数値は石鹸分としての重量％である。）
・ＡＳ：花王（株）製、商品名「エマール０」（有効分９９重量％、表中の数値は有効分としての重量％である。）
・ＬＡＳ：アルキル（炭素数１２）ベンゼンスルホン酸ナトリウム
・ＮＴＡ−３Ｎａ：ニトリロトリ酢酸３ナトリウム
・ポリアクリル酸ナトリウム：重量平均分子量５０００